(57)【特許請求の範囲】
【請求項１】
枠状に形成された固定枠と、
板状に形成された板状部を有し、当該板状部の一方の板面側に遊技球が移動する遊技領域を有する遊技盤と、
枠状に形成され、前記固定枠に対して開閉可能に支持され、枠形状の内側に遊技盤が着脱可能な遊技盤取付枠と、
前記遊技盤取付枠の前面に開閉可能な状態で支持され、前記遊技盤取付枠に取り付けられた前記遊技盤を視認可能にする遊技盤視認用透明窓が設けられた前扉体と、
前記前扉体の前記遊技盤視認用透明窓より下側に設けられ、上側が開放した凹形状の遊技球供給皿が上部に形成されるとともに、当該遊技球供給皿の前方及び側方に略平面形状のパネル部が形成された受け皿ユニットと、
前記受け皿ユニットの下部に設けられ、演出用の照明を行う下側電飾部と、
前記受け皿ユニットの裏面側に取り付けられ、正面から音声を放音するスピーカと、
管状に形成され、前記受け皿ユニットの内側に設けられ、前記スピーカの正面から放出される音声を後側の開口から導入し管路内に伝達させて前側の開口に導く音伝達管路と、
前記受け皿ユニットの前記パネル部と前記下側電飾部の間に挟まれた状態で当該受け皿ユニットの前方及び側方の略全幅に亘って設けられ、裏側に前記音伝達管路の前側の開口が配置し、前記音伝達管路の前側の開口からの音声を前記受け皿ユニットの外側に向けて放音する放音部と、
前記遊技球供給皿の底面に遊技球の入口となる上側の開口が設けられ、前記受け皿ユニットの下側に遊技球を排出する下側球排出口が設けられ、管路の中間部が前記スピーカの位置を回避する経路に設けられた遊技球排出管路と、
を備えることを特徴とする請求項１に記載の遊技機。
【請求項２】
前記遊技球排出管路の前記中間部は、前記スピーカの側方に配置していることを特徴とする請求項１に記載の遊技機。
【請求項３】
前記遊技球排出管路の前記中間部は、前記放音部と前記スピーカの間の位置に配置していることを特徴とする請求項１または２に記載の遊技機。  
【請求項４】
前記遊技球排出管路の前記中間部は、前記スピーカの後方に配置していることを特徴とする請求項１または２に記載の遊技機。
【請求項５】
前記スピーカは、所定の周波数より高い左右の音声をそれぞれ放音する左右のスピーカと前記所定の周波数以下の音声を放音可能な中間のスピーカとを備え、前記音伝達管路は、前記左右及び中間のスピーカからの音声をそれぞれ伝達する左右及び中間の音伝達管路を備え、前記放音部は、幅方向の左右両脇に設けられ前記左右の音伝達管路からの所定の周波数より高い左右の音声をそれぞれ放音する左右の高音放音と、当該左右の高音放音部の間の中間部に設けられ前記中間の音伝達管路からの前記所定の周波数以下の音声を放音可能な中間放音部とを備えることを特徴とする請求項１乃至４のいずれかに記載の遊技機。
【請求項６】
前記中間放音部及び前記左右の高音放音部は、上下方向が略同サイズの横長形状に形成されていることを特徴とする請求項５に記載の遊技機。
【請求項７】
前記遊技球排出管路の前記中間部は、前記左右及び中間のスピーカの内、隣り合う二つのスピーカの間の位置に配置していることを特徴とする請求項５または６に記載の遊技機。
【請求項８】
立体形状で形成された演出役物を更に備え、
前記遊技盤は、前記遊技領域の外側に前記演出役物が取付けられ、
前記前扉体は、前記遊技領域視認用透明窓の外周より外側に透明性を有した透明収納部が形成され、当該透明収納部に前記演出役物を挿脱可能な状態で収納し、
前記遊技領域視認用透明窓及び前記透明収納部は、透明の素材により一体成形されていることを特徴とする請求項１乃至７のいずれかに記載の遊技機。
【発明の詳細な説明】
【技術分野】
【０００１】
本発明は、遊技盤が着脱可能な遊技盤取付枠の前面に前扉体が開閉可能な状態で支持される遊技機に関する。
【背景技術】
【０００２】
従来のパチンコ遊技機は、通常、木枠の前面に、前枠と呼ばれ遊技盤を取り付けるための遊技盤取付枠がヒンジを介して開閉可能に取り付けられ、その遊技盤取付枠の前面に、遊技盤の前面を覆うように、ガラス板を装着したガラス枠がヒンジを介して開閉可能に取り付けられている。
【０００３】
近年、パチンコ遊技機では、その前面装飾を目立たせる目的で、ガラス枠の前面周縁部に多彩な色等で装飾した合成樹脂製のガラス板装飾枠を設けた構造のパチンコ遊技機が開発されている。ここで遊技施設では、遊技者の興味を引き集客性を向上させるために、通常、ある程度の期間で新台入替を行なうが、パチンコ遊技機の遊技盤が使用に伴って汚れ易いこと、及びパチンコ遊技機全体を新たなパチンコ遊技機に交換するには多くの費用が必要なことから、通常の新台入替は、遊技盤のみを交換することにより行なわれる。
【０００４】
このため、合成樹脂製のガラス板装飾枠を前面に有したパチンコ遊技機であっても、パチンコホールが新台入替えを行なう際には、遊技盤を新しいものと交換するのみで、ガラス板装飾枠は、従来のものを使用することになるため、遊技者には、新台入替の目新しさを感じさせにくいという問題があった。
【０００５】
このことに対応して、特許文献１に記載のパチンコ遊技機では、遊技盤を取り付ける遊技盤取付枠と、この遊技盤取付枠の前面側に開閉可能に設けられ、周縁部に透光性を有する透光透明部を形成した前面装飾枠と、この前面装飾枠の後側に着脱可能な状態で配置し、周縁部に装飾を施した装飾部を有すると共に中央に遊技盤を外部から視認可能にする遊技盤視認用透明部を有したガラス板部材とを備え、前記前面装飾枠の周縁部の透光透明部から前記ガラス板部材の装飾部を見えるようにすることで、遊技盤視認用透明部の周囲を装飾する装飾部を簡単に新しくすることができる技術が開示されている。
【０００６】
一方、近年、パチンコ機の音響装置においては、正面側に１個又は２個のスピーカを設置し、予めＲＯＭ(読み出し専用メモリ)に収められた遊技内容に合わせた音楽や効果音のデータを音声回路専用のマイクロプロセッサで制御処理を行い、その処理された音声信号を増幅器により増幅し出力側のスピーカから音声を発生させる構成が採用されている。このような従来の音響装置のスピーカの設置場所や音声発生方法については、パチンコ機本体の周辺要素であるために余り重要視されない傾向にあり、遊技者側からみても音声の高低、音の拡がり等の点が十分に配慮されていないという状況であった。このことに対応して特許文献２に記載のパチンコ機の音響装置においては、パチンコ機の前面枠に備えられた遊技球供給皿（上皿）の上部若しくは遊技球供給皿の上方の適宜箇所に第１スピーカの放音部を配置し、該遊技球供給皿の下方に第２スピーカの放音部を配置することで遊技に伴う音楽や効果音を高音部と低音部に分けてバランスよく発生させていた。
【先行技術文献】
【特許文献】
【０００７】
【特許文献１】特許第３８０６７９８号公報（段落００１５〜００１９、図１、図３）
【特許文献２】特開２００１−４６５９４号公報（段落００１３、図１）
【発明の概要】
【発明が解決しようとする課題】
【０００８】
上述のように従来のパチンコ遊技機では、遊技盤の交換の際に遊技盤視認用透明部の周囲を装飾する装飾部を遊技盤の機種に個別に対応して新しくすることが可能な構造を採用した場合、前記装飾部が平面形状になり立体感に乏しく、前記装飾部に対して回転部や発光部等の演出装置を組み込むのが困難であった。また、従来のパチンコ機の音響装置においては、スピーカの放音部を配置位置が効率的でなく、遊技球供給皿の周囲のスペースを十分有効活用していなかった。
【０００９】
本発明は、上記の問題に鑑み、遊技盤の交換の際に遊技盤視認用透明部の周囲を装飾する装飾部を遊技盤の機種に個別に対応して新しくすることが可能な構造を採用するとともに、遊技球供給皿の周囲のスペースを十分有効活用することができる遊技機を提供することを目的とする。
【課題を解決するための手段】
【００１０】
請求項１に記載の発明の遊技機は、枠状に形成された固定枠と、板状に形成された板状部を有し、当該板状部の一方の板面側に遊技球が移動する遊技領域を有する遊技盤と、枠状に形成され、前記固定枠に対して開閉可能に支持され、枠形状の内側に遊技盤が着脱可能な遊技盤取付枠と、前記遊技盤取付枠の前面に開閉可能な状態で支持され、前記遊技盤取付枠に取り付けられた前記遊技盤を視認可能にする遊技盤視認用透明窓が設けられた前扉体と、前記前扉体の前記遊技盤視認用透明窓より下側に設けられ、上側が開放した凹形状の遊技球供給皿が上部に形成されるとともに、当該遊技球供給皿の前方及び側方に略平面形状のパネル部が形成された受け皿ユニットと、前記受け皿ユニットの下部に設けられ、演出用の照明を行う下側電飾部と、前記受け皿ユニットの裏面側に取り付けられ、正面から音声を放音するスピーカと、管状に形成され、前記受け皿ユニットの内側に設けられ、前記スピーカの正面から放出される音声を後側の開口から導入し管路内に伝達させて前側の開口に導く音伝達管路と、前記受け皿ユニットの前記パネル部と前記下側電飾部の間に挟まれた状態で当該受け皿ユニットの前方及び側方の略全幅に亘って設けられ、裏側に前記音伝達管路の前側の開口が配置し、前記音伝達管路の前側の開口からの音声を前記受け皿ユニットの外側に向けて放音する放音部と、前記遊技球供給皿の底面に遊技球の入口となる上側の開口が設けられ、前記受け皿ユニットの下側に遊技球を排出する下側球排出口が設けられ、管路の中間部が前記スピーカの位置を回避する経路に設けられた遊技球排出管路と、を備えることを特徴とする。
前記遊技球排出管路は、前記スピーカの側方に配置していることを特徴とする（請求項２）。
前記遊技球排出管路の前記中間部は、前記放音部と前記スピーカの間の位置に配置していることを特徴とする（請求項３）。
前記遊技球排出管路の前記中間部は、前記スピーカの後方に配置していることを特徴とする（請求項４）。
前記スピーカは、所定の周波数より高い左右の音声をそれぞれ放音する左右のスピーカと前記所定の周波数以下の音声を放音可能な中間のスピーカとを備え、前記音伝達管路は、左右及び中間のスピーカからの音声をそれぞれ伝達する左右及び中間の音伝達管路を備え、前記放音部は、幅方向の左右両脇に設けられ左右の音伝達管路からの所定の周波数より高い左右の音声をそれぞれ放音する左右の高音放音と、当該左右の高音放音部の間の中間部に設けられ中間の音伝達管路からの前記所定の周波数以下の音声を放音可能な中間放音部とを備えることを特徴とする（請求項５）。
前記中間放音部及び前記左右の高音放音部は、上下方向が略同サイズの横長形状に形成されていることを特徴とする（請求項６）。
前記球皿側球排出管路の前記中間部は、前記左右及び中間のスピーカの内、隣り合う二つのスピーカの間の位置に配置していることを特徴とする（請求項７）。
前記遊技機は、立体形状で形成された演出役物を更に備え、前記遊技盤は、前記遊技領域の外側に前記演出役物が取付けられ、前記前扉体は、前記遊技領域視認用透明窓の外周より外側に透明性を有した透明収納部が形成され、当該透明収納部に前記演出役物を挿脱可能な状態で収納し、前記遊技領域視認用透明窓及び前記透明収納部は、前記透明窓及び前記透明収納部は、透明の素材により一体成形されていることを特徴とする（請求項８）。
【００１１】
従来、遊技盤の交換の際に遊技盤視認用透明部の周囲を装飾する装飾部を遊技盤の機種に個別に対応して新しくする技術では、前記装飾部が平面形状であり、立体感に乏しく、回転部や発光部等の演出装置を組み込むのが困難であった。また、従来のパチンコ機においては、スピーカの放音部を配置位置が効率的でなく、遊技球供給皿の周囲のスペースを十分有効活用していなかった。
【００１２】
これに対し、本発明では、前扉体には、透明性を有した透明収納部が前記遊技盤視認用透明窓の外周より外側に形成され、当該透明収納部には立体形状の演出役物を装飾部として挿脱可能な状態で収納するので、遊技盤の交換の際に遊技盤視認用透明部の周囲を装飾する装飾部を遊技盤の機種に個別に対応して新しくすることが可能な構造を採用するとともに、装飾部の立体感を高め、装飾部に回転部や発光部等の演出装置を組み込むのを容易にして、遊技者に新台入替の目新しさを強く感じさせることができ、また、音声を放音する放音部は、前記受け皿ユニットの前記パネル部と前記下側電飾部の間に挟まれた状態で当該受け皿ユニットの略全幅に亘って設けられ、前記球皿側球排出管路は、管路の中間部が前記放音部に音声を導くスピーカの位置を回避する経路に設けられているので、遊技球供給皿の周囲のスペースを十分有効活用することができる。
【発明の効果】
【００１３】
本発明によれば、前扉体には、透明性を有した透明収納部が前記遊技盤視認用透明窓の外周より外側に形成され、当該透明収納部には立体形状の演出役物を装飾部として挿脱可能な状態で収納するので、遊技盤の交換の際に遊技盤視認用透明部の周囲を装飾する装飾部を遊技盤の機種に個別に対応して新しくすることが可能な構造を採用するとともに、装飾部の立体感を高め、装飾部に回転部や発光部等の演出装置を組み込むのを容易にして、遊技者に新台入替の目新しさを強く感じさせることができ、また、また、音声を放音する放音部は、前記受け皿ユニットの前記パネル部と前記下側電飾部の間に挟まれた状態で当該受け皿ユニットの略全幅に亘って設けられ、前記球皿側球排出管路は、管路の中間部が前記放音部に音声を導くスピーカの位置を回避する経路に設けられているので、遊技球供給皿の周囲のスペースを十分有効活用することができる。
【図面の簡単な説明】
【００１４】
【図１】本発明に係る第１の実施形態の遊技機を示す斜視図である。
【図２】本発明に係る第１の実施形態の遊技機の分解斜視図である。
【図３】本発明に係る第１の実施形態の遊技機の正面図である。
【図４】本発明に係る第１の実施形態の遊技機の前扉体を不透明にして示す斜視図である。
【図５】本発明に係る第１の実施形態の遊技機の背面図である。
【図６】本発明に係る第１の実施形態の遊技機の左斜め後方から見た斜視図である。
【図７】本発明に係る第１の実施形態の遊技機の右側方から見た断面の概略を示す説明図である。
【図８】本発明に係る第１の実施形態の左右及び中間の音伝達管路及びその周辺部を示す説明図である。
【図９】本発明に係る第１の実施形態の左右及び中間の音伝達管路遊と技球排出管路の位置関係を示す斜視図である。
【図１０】本発明に係る第１の実施形態の遊技機及びこれと接続する機材の回路構成を示すブロック図である。
【図１１】本発明に係る第１の実施形態の固定枠の分解斜視図である。
【図１２】本発明に係る第１の実施形態の遊技盤取付枠の斜視図である。
【図１３】本発明に係る第１の実施形態の遊技盤の斜視図である。
【図１４】本発明に係る第１の実施形態の前扉体の右斜め前方から見た斜視図である。
【図１５】本発明に係る第１の実施形態の前扉セットの右斜め後方から見た斜視図である。
【図１６】本発明に係る第１の実施形態の固定枠と遊技盤取付枠を組み立てた状態の斜視図である。
【図１７】本発明に係る第１の実施形態の固定枠と遊技盤取付枠を組み立て遊技盤取付枠に遊技盤を取り付けた状態の斜視図である。
【図１８】本発明に係る第１の実施形態の固定枠から遊技盤取付枠を開いた状態の遊技機の斜視図である。
【図１９】本発明に係る第１の実施形態の遊技盤取付枠から前扉セットを開いた状態の遊技機の斜視図である。
【図２０】本発明に係る第２の実施形態の左右及び中間の音伝達管路と遊技球排出管路の位置関係を示す斜視図である。
【図２１】本発明に係る第２の実施形態の左右及び中間の音伝達管路と遊技球排出管路の位置関係を示す断面図である。
【図２２】本発明に係る第３の実施形態の左右及び中間の音伝達管路と遊技球排出管路の位置関係を示す斜視図である。
【図２３】本発明に係る第３の実施形態の左右及び中間の音伝達管路と遊技球排出管路の位置関係を示す断面図である。
【００１５】
以下、本発明に第１の実施形態について図面を参照しながら具体的に説明する。
（１）第１の実施形態
図１乃至図１０は本発明に係る第１の実施形態を示している。
図１は、本発明に係る第１の実施形態の遊技機１を示す斜視図である。図２は、遊技機１の分解斜視図である。図３は、遊技機１の正面図である。図４は、遊技機１の前扉体８を不透明にして示す斜視図である。図５は、図１の遊技機１の背面図である。図６は、遊技機１の斜め後方から見た斜視図である。図７は、遊技機１の右側方から見た断面の概略を示す説明図である。図８は、左側、中間及び右側の音伝達管路２４７Ｌ、２４７Ｍ、２４７Ｒ及びその周辺部を示す説明図である。図９は、左右及び中間の音伝達管路２４７Ｌ、２４７Ｍ、２４７Ｒと遊技球排出管路２５１の位置関係を示す斜視図である。図１０は、遊技機１及びこれと接続する機材の回路構成を示すブロック図である。
【００１６】
初めに遊技機１の全体構成の説明をする。
図１において、遊技機１は、固定枠（外枠）２と、遊技盤取付枠（内枠）３と、遊技盤セット４と、前扉セット５とから構成されている。
【００１７】
固定枠２は、ホールにおいて遊技機１が配置される遊技島設備に固定されものであり、機枠又は機体として所定の外郭方形枠サイズに構成されている。
【００１８】
遊技盤取付枠３は、枠状に形成され、正面左側上下部に配設された開閉連結支持機構１１、１２（図３参照）を介して固定枠２に開閉（片持ち横開き）可能に組付けられることで、前記固定枠２に対して開閉可能に支持されている。
【００１９】
遊技盤取付枠３は、枠形状の内側に遊技盤セット４が着脱可能にセット保持されている。遊技盤セット４は、パチンコゲームを展開し得るものである。また、遊技盤取付枠３は、遊技機１の正面右側下部に配設されたシリンダ錠１３及びこれと連動する後述の施錠装置１６１（図１２参照）を利用して固定枠２に対して閉鎖状態に保持される。
【００２０】
遊技盤取付枠３の正面側には、遊技盤取付枠３の前側面域に合わせた方形状の前扉セット５が横開き開閉及び着脱が可能に組付けられており、シリンダ錠１３及びこれと連動する後述の施錠装置１６１（図１２参照）を利用して遊技盤取付枠３の前面を覆う閉止状態で保持される。
【００２１】
図２において、固定枠２は、固定枠本体２１の下部に装飾部材２２がネジ止めにより取り付け固定される構造になっている。
遊技盤セット４は、遊技盤６と内側透明扉７とから構成されている。
前扉セット５は、前扉体８及び受皿ユニット９から構成されている。
【００２２】
図1及び図２において、内側透明扉７は、ガラス板で形成された内側透明板８１を枠部材８２で保持した構造になっている。枠部材８２の左辺には遊技盤６の遊技板４０の左辺近傍の上下に取り付けられる蝶番８３、８４が設けられ、枠部材８２の左辺には、遊技盤６のレール４２の右側に形成された溝部８９に係止する係止部８５が形成されている。内側透明扉７は、遊技盤６の前面側に開閉可能な状態で支持され、遊技球の前方への移動を規制する。
【００２３】
図1及び図２において、前扉体８は、前記遊技盤取付枠３の前面側に開閉可能な状態で支持されている。前扉体８には、前記遊技盤取付枠３に取り付けられた遊技盤セット４を視認可能にする透明性の遊技盤視認用透明窓６１（図４参照）が設けられるとともに、透明性を有する透明収納部６２（図４参照）が前記遊技盤視認用透明窓６１の上側に形成され、当該透明収納部６２には、遊技盤セット４側の立体形状の演出役物１０１が挿脱可能な状態で収納されるようになっている。当該透明収納部６２は、演出役物１０１を外部から視認可能にする。前記遊技盤視認用透明窓６１及び前記透明収納部６２は、ポリカーボネート等の透明の素材により一体成形されている。
【００２４】
受皿ユニット９は、前記前扉体６の前記遊技盤視認用透明窓６１より下側に設けられている。受皿ユニット９には、上側が開放した凹形状の遊技球供給皿７１が形成されている。遊技球供給皿７１は、前扉体８の球払出口６４から払い出された遊技球を貯留して整列させる。
【００２５】
図７において、遊技盤取付枠３に取り付けられた遊技盤セット４の遊技盤６は、基材となる遊技板４０の前面に設けられた遊技領域４１を内側透明扉７の内側透明板８１を介して前記前扉体８の正面に臨ませている。
【００２６】
図１において、受皿ユニット９の右下方位置には、遊技盤取付枠３に設けられた発射部３１（図２参照）を作動させる操作ハンドル６５が配置されている。
【００２７】
操作ハンドル６５は前扉体８から遊技者側へ突出し、前記発射部３１（図２参照）の駆動によって遊技球を発射させる際に遊技者によって操作されている。
【００２８】
操作ハンドル６５は前記発射部３１（図２参照）を駆動させて遊技球を発射させる発射指示部材６６を備えている。発射指示部材６６は、操作ハンドル６５の外周部に、遊技者から見て右回りに回転可能に設けられ、この回転に連動する発射ボリューム６５ａ（図１０参照）を有し、遊技者によって直接操作されているときに発射ボリューム６５ａの抵抗値によって発射部３１（図２参照）に遊技球発射の指示を与える。また、操作ハンドル６５には遊技者が発射指示部材６６を直接操作していることを検出するタッチセンサ６５ｂ（図１０参照）等が内蔵されている。操作ハンドル６５に接触すると、操作ハンドル６５に設けられているタッチセンサ６５ｂが、操作ハンドル６５に遊技者が触れたことを検知し、発射制御基板３６（図６及び図１０参照）にタッチ信号を送信する。発射制御基板３６は、タッチセンサ６５ｂからタッチ信号を受信すると、発射部３１の発射用ソレノイド３１ａ（図１０参照）の通電を許可する。
【００２９】
発射部３１の駆動によって発射された遊技球は、遊技盤セット４の遊技板４０に取り付けられた外側及び内側のレール４２、４３間を上昇して遊技盤セット４の上部位置に達した後、遊技領域４１内を落下する。遊技領域４１には、遊技球を不特定の方向に向けて落下させるための複数の釘に加え、遊技球の落下方向を変化させる風車や入球口が配置されている。
【００３０】
遊技領域４１の中央部分にはセンター役物４４が配置されている。センター役物４４には、例えば液晶表示器（ＬＣＤ）を用いた画像出力装置４５が配置されている。
【００３１】
画像出力装置４５の下方には遊技球を受入れ可能な第１始動口４６が配置され、第１始動口４６の下方には一対の可動片４７Ｌ、４７Ｒ（図３参照）を有する第２始動口４８が配置されている。第２始動口４８は一対の可動片４７Ｌ、４７Ｒ（図３参照）が閉状態のときに遊技球の受入れを困難にし、開状態のときに第１始動口４６よりも遊技球の受入れを容易にする。
【００３２】
画像出力装置４５の左側には、遊技球の通過を検出し、第２始動口４８を一定時間だけ開放させる普通図柄の抽選を行うための入賞ゲート４９が配置されている。入賞ゲート４９の下方位置等には、遊技球が入球したときに所定数（例えば１０個）の賞球払い出しの権利を獲得する普通入賞口５０ａ、５０ｂ、５０ｃ、５０ｄが配置されている。遊技領域４１の最下部にはどの入球口にも入球しなかった遊技球を回収する回収口５１が配置されている。
【００３３】
図３において、遊技板４０の右下には、主制御基板４０１（図１０参照）に設けられた第１特別図柄抽選手段による抽選結果を表示する第１特別図柄表示装置５２、及び主制御基板４０１（図１０参照）に設けられた第２特別図柄抽選手段による抽選結果を表示する第２特別図柄表示装置５３が配置されている。これら両表示装置５２、５３には特別図柄が変動表示されていると共に、所定時間経過後に所定の図柄が停止表示され、始動口への遊技球の入球を契機とする抽選の結果が表示されている。両表示装置５２、５３には複数のＬＥＤが使用され、特別図柄の変動表示の開始に伴ってＬＥＤが点滅することで、現在抽選中であるかのような印象を遊技者に与える。所定時間経過後には、抽選結果に応じて予め設定されたＬＥＤが点灯表示し、遊技者に抽選結果が報知されている。
【００３４】
特別図柄の変動表示中に第１始動口４６、あるいは第２始動口４８に遊技球が入球すると、当該入球によって得られる特別図柄の変動表示の権利（以下「保留球」という）が留保されている。この留保された保留球の数は第１特別図柄保留表示装置５４及び第２特別図柄保留表示装置５５に表示されている。
【００３５】
特別図柄の変動表示中に入賞ゲート４９に遊技球が入球すると、普通図柄抽選手段による抽選が行われるが、この抽選結果を表示する普通図柄表示装置５６が前記両表示装置５２、５３の付近に配置されている。普通図柄の変動表示中に入賞ゲート４９に遊技球が入球することによって得られる普通図柄の変動表示の権利、すなわち保留球の数が普通図柄表示装置５７に表示されている。
【００３６】
画像出力装置４５は第１始動口４６、または第２始動口４８に遊技球が入球したときに複数の装飾図柄の変動表示を開始し、所定時間経過後に当該装飾図柄の変動を停止させる。停止時に特定図柄（例えば「７７７」）が揃えば、大当たり遊技（長当たり遊技）を実行する権利を獲得したこととなり、その後、大当たり遊技（長当たり遊技）が開始される。大当たり遊技（長当たり遊技）が開始されると、遊技領域４１の下方に位置する大入賞口ユニット５８における開閉扉５９が一定時間、開放する動作を所定回数（例えば１５回）繰り返し、入球した遊技球に対応する賞球が払い出されている。
【００３７】
大入賞口ユニット５８は遊技盤セット４に設けられた大入賞口６０を開閉する開閉扉５９を開閉自在に支持し、開閉扉５９が大入賞口６０の前面（表面）側に位置した状態で、遊技盤セット４の背面に設置されている。開閉扉５９は通常時には閉鎖して大入賞口６０を閉塞しており、大入賞口６０に遊技球が入球することを阻止している。大当たり遊技が開始されたときには、大入賞口開閉ソレノイド５８ｂ（図１０参照）への通電により開閉扉５９が開放して大入賞口６０を開放させる。大入賞口６０の開放時には、開閉扉５９が遊技球を大入賞口６０内に導くための受け皿として機能するため、大入賞口６０に遊技球が入球可能となる。
【００３８】
センター役物４４における画像出力装置４５の上側及び側方（図１においては紙面右側）には、演出用の役物装置（以下、「演出用役物装置」という）９１、９２が配置されている。演出用役物装置９１、９２は例えばモータによって駆動されるようになっている。センター役物４４における演出用役物装置９１の上側には、遊技機１の商品名を模った電飾装置９３が設けられている。
【００３９】
遊技板４０の遊技領域４１の上側には、板面を上方に延出させて延出部１００が形成されている。延出部１００の前面には、演出役物１０１が取り付けられている。演出役物１０１は、前扉体８が閉塞された状態で透明収納部６２に収納され、外部から視認可能である。演出役物１０１には、発光ダイオードによる光源が設けられており、演出内容に応じて発光するようになっている。
図１において、受皿ユニット９の遊技球供給皿７１の左側方、前方及び右側方には、斜め前方に傾斜する上側傾斜面部７２Ｌ、７２Ｆ、７２Ｒが設けられている。前方の上側傾斜面部７２Ｆの中央には、チャンスボタン７３が配置されている。チャンスボタン７３の操作は例えば遊技中における特定のリーチ演出に際し、チャンスボタン７３の操作を促すガイダンスが表示されている間有効となる。遊技球供給皿７１の右側方の側傾斜面部７２Ｒには、複数のＬＥＤの点灯によって情報の表示を行う表示部７４が設けられている。表示部７４の右側には、遊技球貸出装置（ＣＲ機）に関わる球貸しボタン７５と、返却ボタン７６が設けられている。
遊技機１は、図３に示す遊技球貸出装置（ＣＲ機）２０が送受信可能に接続されるようになっている。遊技球貸出装置２０は、プリペイドカード等の記録媒体の挿排口５００を備え当該記録媒体に記録された金額の残高に応じて貸球の制御を行う。図１に示す表示部７４は、前記記録媒体に記録された金額の残高の情報を表示する。
【００４０】
図１において、左側方の上側傾斜面部７２Ｌの左横には、段部７７Ｌを介して下側に配置する下側傾斜面部７８Ｌがけ設けられている。前方の上側傾斜面部７２Ｆの手前には、段部７７Ｆを介して下側に配置する下側傾斜面部７８Ｆがけ設けられている。右側方の上側傾斜面部７２Ｒの右横には、段部７７Ｒを介して下側に配置する下側傾斜面部７８Ｒが設けられている。下側傾斜面部７８Ｌ、７８Ｆ、７８Ｒは、斜め前方に傾斜する。
【００４１】
また、表示部７４の左側には、整列路７９が設けられている。整列路７９は、遊技球供給口８０に向けて下方にわずかに傾斜しており、遊技球供給皿７１からの遊技球を整列させて遊技球供給口８０に導く。
【００４２】
表示部７４の前側には、第１の球抜きボタン２０１が設けられており、第１の球抜きボタン２０１を手動で押し続けることにより、整列路７９の先端に設けた開閉板を移動させて第１の球皿側球排出口２０２を開放し、遊技球供給皿７１に貯留された遊技球を球抜きして後述の遊技球排出管路２５１（図９参照）を介して下側球排出口２０３に送るようにしている。下側球排出口２０３から排出される遊技球は、通常、ドル箱と呼ばれる遊技球収納箱に受け止められ収納される。
【００４３】
上側傾斜面部７２Ｆの左側部には、第２の球抜きボタン２０８が設けられており、第２の球抜きボタン２０８を手動で押し続けることにより、遊技球供給皿７１の底面の左側部に設けた開閉板を移動させて第２の球皿側球排出口２０９を開放し、遊技球供給皿７１に貯留された遊技球を球抜きして後述の遊技球排出管路２５１（図９参照）を介して下側球排出口２０３に送るようにしている。
【００４４】
受皿ユニット９には、演出効果音、または不正を知らしめる音声を出力する左側、中間及び右側のスピーカ３２Ｌ、３２Ｍ、３２Ｒ（図８参照）が組み込まれている。
【００４５】
受皿ユニット９の前面には、遊技盤取付枠３に設けられた左側、中間及び右側のスピーカ３２Ｌ、３２Ｍ、３２Ｒ（図８参照）からの音声の放出を行う左側、中間及び右側の放音部２０４Ｌ、２０４Ｍ、２０４Ｒが設けられている。
【００４６】
図８に示す左右のスピーカ３２Ｌ、３２Ｒは高音・中音・低音の領域を出力できる機能を有し、通常演出時は高音・中音・低音をバランス良く出力するが、後述する特別演出時、または不正等があった場合には周りに良く聞こえるように高音領域を高く出力するように制御されている。中間のスピーカ３２Ｍは高音・中音・低音の領域に加えて重低音を出力できる機能を有し、通常演出時は高音・中音・低音をバランス良く出力するが、リーチ等の特別演出時には重低音を出力するように制御されている。
【００４７】
受皿ユニット９の下部には、演出用の照明を行う前記下側電飾部２０５が設けられている。前記下側電飾部２０５は、透明部２０６の内側に演出用の照明を行う電飾装置２０７を設けたものである。
【００４８】
左側、中間及び右側の放音部２０４Ｌ、２０４Ｍ、２０４Ｒは、前記受皿ユニット９の前記下側傾斜面部７８Ｌ、７８Ｆ、７８Ｒと前記下側電飾部２０５の間に挟まれた状態で当該受け皿ユニット９の略全幅に亘って設けられ、音声を放音する。
【００４９】
図４において、前扉体８の遊技盤視認用透明窓６１は、板面が前方に向いた平面形状に形成されている。透明収納部６２は、横長に形成され、板面が前側斜め下方に向いた平面形状の中間部２１１の左右に、傾斜面部２１２、２１３が設けられている。傾斜面部２１２、２１３は、右斜め下側前方及び左斜め下側前方を向いている。
【００５０】
以下、図５及び図６を用いて遊技機１の背面側について説明する。
図５及び図６において、遊技機１の裏面の上部には、遊技球を貯留する貯留タンク３３が設置されており、貯留タンク３３は、遊技機１の裏面の左側の上部賞球ケース３４に覆われた払出装置３５に接続されている。賞球ケース３４は、遊技球通路を介して入球に基づく賞球（景品）としての遊技球や球貸し要求に基づく遊技球を遊技者に払い出す。払出装置３５は、例えばステッピングモータ等の駆動部３１ｂ（図１０参照）が駆動することによって、賞球または貸し球としての遊技球を１個ずつ遊技者に払い出す。
【００５１】
遊技機１の裏面の払出装置３５の下側には、発射制御基板３６及び払出制御基板３７が前後に並べた状態で取り付けられている。発射制御基板３６及び払出制御基板３７は、基板ケース３０１により収納されている。
【００５２】
遊技機１の裏面の払出制御基板３７の右側には、基板ケース３０２に収納された電源基板３８が取り付けられている。遊技機１の裏面の払出制御基板３７の上側には、払出情報出力端子板３９が設けられている。払出情報出力端子板３９は、基板ケース３０１により収納されている。
【００５３】
貯留タンク３３、賞球ケース３４、払出装置３５、発射制御基板３６、払出制御基板３７及び電源基板３８は、遊技盤取付枠３側に固定されている。
【００５４】
遊技機１の裏側の電源基板３８の上側には、基板ケース４１１に収納され主制御基板４０１が設けられる。遊技機１の裏側の主制御基板４０１と貯留タンク３３の間には、基板ケース４１３に収納され背面カバー４１２で覆われた演出制御基板４０２が設けられている。遊技機１の裏側の演出制御基板４０２の左側下方には、遊技情報出力端子板４０３が取り付けられている。
【００５５】
主制御基板４０１、演出制御基板４０２、遊技情報出力端子板４０３、基板ケース４１１、４１３及び背面カバー４１２は、遊技盤セット４側に取り付けられている。
【００５６】
図１及び図７において、内側透明扉７は、遊技盤６の前面側に開閉可能な状態で支持され、遊技球の前方への移動を規制する。
次に、左側、中間及び右側の放音部２０４Ｌ、２０４Ｍ、２０４Ｒ及びその内部構造を詳細に説明する。
【００５７】
図８において、左側、中間及び右側の放音部２０４Ｌ、２０４Ｍ、２０４Ｒの内側には、左側、中間及び右側の音伝達管路２４７Ｌ、２４７Ｍ、２４７Ｒの出力側開口部５１２Ｌ、５１２Ｍ、５１２Ｒが取り付けられている。左側、中間及び右側の音伝達管路２４７Ｌ、２４７Ｍ、２４７Ｒの入力側開口部５１１Ｌ、５１１Ｍ、５１１Ｒには、スピーカ３２Ｌ、３２Ｍ、３２Ｒが配置する。左側、中間及び右側の音伝達管路２４７Ｌ、２４７Ｍ、２４７Ｒは、合成樹脂を金型により成形したものである。左側、中間及び右側の音伝達管路２４７Ｌ、２４７Ｍ、２４７Ｒは、上方から見て出力側に向かって拡開し、側方から見て出力側に向かって絞り込まれ滑らかに蛇行して湾曲するホーン形状になっており、スピーカ３２Ｌ、３２Ｍ、３２Ｒからの音声をそれぞれ効率よく横長形状の左側、中間及び右側の放音部２０４Ｌ、２０４Ｍ、２０４Ｒに導くようになっている。左側、中間及び右側の放音部２０４Ｌ、２０４Ｍ、２０４Ｒは、横長形状に形成された金属製のメッシュ５１３を縦長形状の仕切り５１４、５１５で左側、中間及び右側の領域に分割することで形成されている。
【００５８】
図９において、遊技球排出管路２５１は、上側の左右の管路２５２、２５３と、中間管路２５４と、下側管路２５５とから構成されている。
【００５９】
左の管路２５２は、左側端部に第２の球皿側球排出口２０９が設けられ、左側端部から右側に向かって下側に傾斜し、中間管路２５４の上端に繋がっている。
【００６０】
右の管路２５３は、右側端部に第１の球皿側球排出口２０２が設けられ、左側端部から左側に向かって下側に傾斜し、中間管路２５４の上端に繋がっている。
【００６１】
中間管路２５４は、下方に行くに従い後方に向かって湾曲し中間のスピーカ３２Ｍの左側方に配置している。中間管路２５４の下端は、下側管路２５５の上端に繋がる。下側管路２５５は、電飾装置２０７の後側において、下方に行くに従い前方に向けて蛇行して中間の音伝達管路２４７Ｍの下側を通り下側球排出口２０３に繋がる。
【００６２】
第１の球皿側球排出口２０２に流れた遊技球は、右の管路２５３、中間管路２５４、下側管路２５５を介して下側球排出口２０３から排出される。第２の球皿側球排出口２０９に流れた遊技球は、左の管路２５２、中間管路２５４、下側管路２５５を介して下側球排出口２０３から排出される。
【００６３】
（制御手段の内部構成）
次に、図１０を用いて遊技の進行を制御する制御手段について説明する。
図１０において、遊技機１の制御手段は、主制御基板４０１、演出制御基板４０２、払出制御基板３７、ランプ制御基板４０４及び画像制御基板４０５から構成されている。
【００６４】
主制御基板４０１は遊技の基本動作を制御する。この主制御基板４０１は、メインＣＰＵ４０１ａ、メインＲＯＭ４０１ｂ、メインＲＡＭ４０１ｃを備えている。メインＣＰＵ４０１ａは、各検出センサやタイマからの入力信号に基づいて、メインＲＯＭ４０１ｂに格納されたプログラムを読み出して演算処理を行うとともに、各装置や表示装置を直接制御したり、あるいは演算処理の結果に応じて他の基板に所定のコマンドを送信したりする。メインＲＡＭ４０１ｃは、メインＣＰＵ４０１ａの演算処理時におけるデータのワークエリアとして機能する。
【００６５】
前記主制御基板４０１の入力側には、第１始動口検出センサ４６ａ、第２始動口検出センサ４８ａ、第１大入賞口検出センサ５８ａ、入賞ゲート検出センサ４９ａ及び一般入賞口検出センサ５０ｅが接続されている。これら各センサ４６ａ、４８ａ、５８ａ、４９ａ、５０ｅは、それぞれ対応する検出信号を主制御基板４０１に送信する。
【００６６】
主制御基板４０１の出力側には、第２始動口４８の一対の可動片４７Ｌ、４７Ｒを動かす第２始動口開閉ソレノイド４８ｂ、大入賞口ユニット５８の大入賞口開閉扉５９を動かす大入賞口開閉ソレノイド５８ｂが接続されている。主制御基板４０１は、出力ポート（図示せず）を介して各ソレノイド４８ｂ、５８ｂを制御する信号を各ソレノイド４８ｂ、５８ｂに送信する。また、主制御基板４０１の出力側には、第１特別図柄表示装置５２、第２特別図柄表示装置５３及び普通図柄表示装置５６が接続されるとともに、第１特別図柄保留表示装置５４、第２特別図柄保留表示装置５５及び普通図柄保留表示装置５７が接続されている。主制御基板４０１は、出力ポート（図示せず）を介して各表示装置５２、５３、５４、５５、５６、５７を制御する信号を各表示装置５２、５３、５４、５５、５６、５７に送信する。また、主制御基板４０１は、第１始動口検出センサ４６ａ、第２始動口検出センサ４８ａ、一般入賞口検出センサ５０ｅ及び第１大入賞口検出センサ５８ａの検出結果に基づき、各入球口（第１始動口４６、第２始動口４８、普通入賞口５０ａ、５０ｂ、５０ｃ、５０ｄ、大入賞口６０）に入球した遊技球に対応した賞球数を払い出させる賞球要求信号を払出制御基板３７に送信する。
【００６７】
さらに、主制御基板４０１の出力側には遊技情報出力端子板４０３が接続されている。主制御基板４０１は、出力ポートを介して、所定の遊技に関する情報（以下、遊技情報という）が変換された外部信号を遊技情報出力端子板４０３に送信する。遊技情報出力端子板４０３には遊技機1の外側に設けられた遊技情報表示装置１０及び遊技店のホールコンピュータが接続されており、遊技情報出力端子板４０３からは前記の所定の遊技情報（外部信号）が遊技情報表示装置１０及びホールコンピュータに送信される。遊技者には、所定の遊技情報が遊技情報表示装置１０で出力（表示）されることで、遊技機（台）選びの判断材料が提供されることになる。一方、遊技店は、前記所定の遊技情報がホールコンピュータに接続された表示装置やプリンターで出力（表示・印刷）されることで、各遊技機の稼働状況を把握することができる。
【００６８】
演出制御基板４０２は、主に遊技中や待機中等の各演出を制御する。この演出制御基板４０２は、サブＣＰＵ４０２ａ、サブＲＯＭ４０２ｂ、サブＲＡＭ４０２ｃを備えており、主制御基板４０１に、当該主制御基板４０１から演出制御基板４０２への一方向に通信可能に接続されている。また、演出制御基板４０２の入力側には、チャンスボタン検出スイッチ７３ａが接続されている。演出制御基板４０２には、チャンスボタン７３に操作が行われたことを示す演出ボタン検出信号がチャンスボタン検出スイッチ７３ａから送信される。
【００６９】
サブＣＰＵ４０２ａは、主制御基板４０１から送信されたコマンド、または、前記チャンスボタン検出スイッチ７３ａや図示しないタイマからの受信信号に基づいて、サブＲＯＭ４０２ｂに格納されたプログラムを読み出して演算処理を行うとともに、当該処理に基づいて、コマンドをランプ制御基板４０４や画像制御基板４０５に送信する。サブＲＡＭ４０２ｃは、サブＣＰＵ４０２ａの演算処理時におけるデータのワークエリアとして機能する。
【００７０】
払出制御基板３７は、遊技球の発射制御と遊技球の払い出し制御とを行う。この払出制御基板３７は、払出ＣＰＵ３７ａ、払出ＲＯＭ３７ｂ、払出ＲＡＭ３７ｃを備えており、主制御基板４０１及び発射制御基板３６に対して、双方向に通信可能に接続されている。
【００７１】
払出ＣＰＵ３７ａの入力側には、払出装置３５において遊技球が払い出されたか否かを検知する払出球計数スイッチ３５ａが接続されている。払出ＣＰＵ３７ａは、払出球計数スイッチ３５ａからの払出球検知信号とタイマからの受信信号とに基づいて、払出ＲＯＭ３７ｂに格納されたプログラムを読み出して演算処理を行うとともに、当該処理に基づいて、対応するデータを主制御基板４０１に送信する。
【００７２】
払出制御基板３７の出力側には、貯留タンク３３から所定数の遊技球を遊技者に払い出すための払出装置３５の払出駆動部３５ｂが接続されている。払出ＣＰＵ３７ａは、主制御基板４０１から送信された賞球要求信号に基づいて、払出ＲＯＭ３７ｂから所定のプログラムを読み出して演算処理を行うとともに、払出装置３５を制御して所定の遊技球を遊技者に払い出す。このとき、払出ＲＡＭ３７ｃは、払出ＣＰＵ３７ａの演算処理時におけるデータのワークエリアとして機能する。
【００７３】
また、払出ＣＰＵ３７ａは、遊技機1の外側に設けられた遊技球貸出装置（カードユニット）２０が払出制御基板３７に接続されているか否かを確認し、遊技球貸出装置２０が接続されていれば、発射制御基板３６に遊技球を発射させることを許可する発射制御データを送信する。
【００７４】
発射制御基板３６は、払出制御基板３７から発射制御データを受信すると発射部３１（図２参照）による発射の許可を行う。そして、操作ハンドル６５（図１参照）に設けられたタッチセンサ６５ｂからのタッチ信号と発射指示部材６６（図１参照）に連動する発射ボリューム６５ａからの入力信号とを読み出し、発射部３１（図２参照）の発射用ソレノイド３１ａを通電制御し、遊技球を発射させる。
【００７５】
第１の実施形態では、発射用ソレノイド３１ａの回転速度は、発射制御基板３６に設けられた水晶発振器の出力周期に基づく周波数から、約９９．９（回／分）に設定されている。これにより、１分間における発射遊技数は、発射用ソレノイド３１ａが１回転する毎に１個発射されるため、約９９．９（個／分）となる。
【００７６】
ランプ制御基板４０４は、前記各基板と同様に、ランプＣＰＵ４０４ａ、ランプＲＯＭ４０４ｂ、ランプＲＡＭ４０４ｃを備えており、遊技盤２に設けられた電飾装置９３、２０５及び演出役物１０１の発光ダイオードを点灯制御する。また、演出用役物装置９１、９２を作動させるソレノイドやモータ等の駆動源を通電制御する。このランプ制御基板４０４は、演出制御基板４０２に接続されており、演出制御基板４０２から送信されたコマンドに基づいて、前記の各制御を行うこととなる。
【００７７】
画像制御基板４０５は、少なくとも画像出力装置４５に表示される動画や静止画等の画像を制御する画像制御部４０５Ｂと、左側、中間及び右側のスピーカ３２Ｌ、３２Ｍ、３２Ｒから出力される音を制御する音声制御部４０５Ｃと、画像制御部４０５Ｂ及び音制御部４０５Ｃを統括制御する統括部４０５Ａとを有する。
【００７８】
画像制御基板４０５の統括部４０５Ａは、演出制御基板４０２から送信される演出確定コマンドを受信し、統括部４０５Ａの統括ＣＰＵ４０５Ａ１が画像出力装置４５に表示される画像の制御及び左側、中間及び右側のスピーカ３２Ｌ、３２Ｍ、３２Ｒから出力される音の制御を行う。統括ＲＯＭ４０５Ａ２には、当該統括ＣＰＵ４０５Ａ１の実行する制御プログラムが記憶されている。統括ＣＰＵ４０５Ａ１は、統括ＲＯＭ４０５Ａ２が接続されるとともに、統括ＲＡＭ４０５Ａ３が接続されており、統括ＣＰＵ４０５Ａ１の動作に必要な制御プログラムが読み出されるようになっている。
【００７９】
また、統括ＣＰＵ４０５Ａ１は、画像制御部４０５Ｂの画像ＣＰＵ４０５Ｂ１、及び、音制御部４０５Ｃの音ＣＰＵ４０５Ｃ１に接続される。画像ＣＰＵ４０５Ｂ１は画像出力装置４５に表示させる画像に対応する画像信号を生成し、生成した画像信号を画像出力装置４５の駆動回路に送信する。一方、音ＣＰＵ４０５Ｃ１は、左側、中間及び右側のスピーカ３２Ｌ、３２Ｍ、３２Ｒから出力させる音に対応する音信号を生成し、生成した音信号を左側、中間及び右側のスピーカ３２Ｌ、３２Ｍ、３２Ｒの駆動回路に送信する。
【００８０】
画像ＣＰＵ４０５Ｂ１には、画像ＲＯＭ４０５Ｂ２が接続されている。画像ＲＯＭ４０５Ｂ２には、画像ＣＰＵ４０５Ｂ１の実行する制御プログラムが記憶されている。画像ＲＯＭ４０５Ｂ２からは、画像ＣＰＵ４０５Ｂ１の動作に必要な制御プログラムが画像ＣＰＵ４０５Ｂ１の制御により読み出されるようになっている。また、画像ＣＰＵ４０５Ｂ１は、画像出力装置４５に表示する、例えば背景、キャラクタ、装飾図柄等の画像に係る画像データも予め記憶されている。また、画像ＣＰＵ４０５Ｂ１は、生成した画像信号を展開して記憶させる画像ＲＡＭ４０５Ｂ３にも接続されている。
【００８１】
なお、画像ＣＰＵ４０５Ｂ１は、画像出力装置４５に対して、背景画像表示処理、装飾図柄表示処理、キャラクタ画像表示処理など各種画像処理を実行するが、背景画像、装飾図柄画像、キャラクタ画像は、画像出力装置４５の表示画面上において重畳表示される。すなわち、装飾図柄画像やキャラクタ画像は背景画像よりも手前に見えるように表示される。このとき、同一位置に背景画像と図柄画像が重なる場合、Ｚバッファ法など周知の陰面消去法により各画像データのＺバッファのＺ値を参照することで、図柄画像を優先して画像ＲＡＭ４０５Ｂ３に記憶させる。
【００８２】
一方、音ＣＰＵ４０５Ｃ１にも、音声ＲＯＭ４０５Ｃ２が接続されている。音声ＲＯＭ４０５Ｃ２には、音ＣＰＵ４０５Ｃ１の実行する制御プログラムが記憶されている。音声ＲＯＭ４０５Ｃ２からは音４０５Ｃ１の動作に必要な制御プログラムが音ＣＰＵ４０５Ｃ１の制御により読み出されるようになっている。音４０５Ｃ１には、左側、中間及び右側のスピーカ３２Ｌ、３２Ｍ、３２Ｒから出力される音の音データも予め記憶されている。また、音ＣＰＵ４０５Ｃ１は、生成した音信号を展開して記憶する音ＲＡＭ４０５Ｃ３にも接続されている。
【００８３】
一方、上述の遊技情報出力端子板４０３は、主制御基板４０１において生成された外部信号を遊技店のホールコンピュータ及び遊技情報表示装置１０に伝達するための中継的な基板である。第１の実施形態においては、遊技情報出力端子板４０３は出力側で遊技情報表示装置１０にのみ直接接続されており、遊技情報表示装置１０を介してホールコンピュータに接続されている。遊技情報出力端子板４０３は、主制御基板４０１と配線接続され、遊技店のホールコンピュータ等と接続をするためのコネクタが設けられている。
【００８４】
なお、第１の実施形態では遊技情報出力端子板４０３は遊技情報表示装置１０を介してホールコンピュータに接続されているが、遊技情報出力端子板４０３から遊技情報表示装置１０及びホールコンピュータの双方に接続される構成でもよい。また、遊技情報出力端子板４０３はホールコンピュータを介して遊技情報表示装置１０に接続される構成でもよい。
【００８５】
上述の払出情報出力端子板３９は、払出制御基板３７において生成された、賞球払出個数を示す賞球要求信号及び貸し球払出個数を示す球貸要求信号をホールコンピュータに出力するための中継的な基板である。第１の実施形態においては、払出情報出力端子板３９も遊技情報表示装置１０を介してホールコンピュータに接続されている。払出情報出力端子板３９は、払出制御基板３７と配線接続され、遊技店のホールコンピュータ等と接続をするためのコネクタが設けられている。
【００８６】
なお、第１の実施形態では払出情報出力端子板３９は遊技情報表示装置１０を介してホールコンピュータに接続されているが、払出情報出力端子板３９から遊技情報表示装置１０及びホールコンピュータの双方に接続される構成でもよい。また、払出情報出力端子板３９はホールコンピュータを介して遊技情報表示装置１０に接続される構成でもよい。
【００８７】
電源基板３８は、コンデンサからなるバックアップ電源を備えており（図示せず）、遊技機に供給する電源電圧を監視し、電源電圧が所定値以下となったときに、電断検知信号を主制御基板４０１に出力する。より具体的には、電断検知信号がハイレベルになるとメインＣＰＵ４０１ａは動作可能状態になり、電断検知信号がローレベルになるとメインＣＰＵ４０１ａは動作停止状態になる。バックアップ電源はコンデンサに限らず、例えば、電池でもよく、コンデンサと電池とを併用して用いてもよい。
【００８８】
以下、遊技機１の各部材について詳細に説明する。
図１１乃至図１９は本発明に係る第１の実施形態を示し、図１１は、固定枠２の分解斜視図である。図１２は、遊技盤取付枠３の斜視図である。図１３は遊技盤セット４の斜視図である。図１４は、前扉体８の右斜め前方から見た斜視図である。図１５は、前扉セット５の右斜め後方から見た斜視図である。図１６は、固定枠２と遊技盤取付枠３を組み立てた状態の斜視図である。図１７は、固定枠２と遊技盤取付枠３を組み立て遊技盤取付枠３に遊技盤セット４を取り付けた状態の斜視図である。図１８は、固定枠２から遊技盤取付枠３を開いた状態の遊技機１の斜視図である。図１９は、遊技盤取付枠３から前扉セット５０５を開いた状態の遊技機１の斜視図である。
【００８９】
まず、固定枠２について詳細に説明する。
図１１において、第１の実施形態における固定枠２は、固定枠本体２１と、装飾部材２２と、ネジ２３、２３とから構成されている。
【００９０】
固定枠本体２１は、例えば上下辺部１１１、１１２がアルミ製の板材１２１、１２２と木製の板材１２３、１２４が重ねて構成され、左右側辺部１１３、１１４がアルミ製の板材１２５、１２６により構成され、これら各板材が小ネジ等の離脱可能な締結具により全体として矩形枠状に組み付けられている。
【００９１】
左側辺部１１３の上下端部には、図２に示した開閉連結支持機構１１、１２の上軸受片１３１及び下軸受片１３２がそれぞれ設けられている。当該上軸受片１３１及び下軸受片１３２にて、図１６に示すように、遊技盤取付枠３の上下部が回動可能に支持されており、これにより遊技盤取付枠３が開閉可能となる。
【００９２】
図１１において、右側辺部１１４の枠内側面の上部及び下部には、遊技盤取付枠３に設けられた後述する施錠装置１６１（図１２参照）の内枠鉤部１６３、１６４（図１２参照）に対応して、上下一対の鉤受部１３３、１３４が設けられている。これにより、固定枠２に対して遊技盤取付枠３が閉じられた状態で、内枠鉤部１６３、１６４は、当該鉤受部１３３、１３４に係止される。
【００９３】
さらに、固定枠２の下辺部１１２には、樹脂製の装飾部材２２がネジ２３、２３によりネジ止め固定されている。装飾部材２２の前面上側には、前方を向く垂直面部１４１が設けられている。装飾部材２２の前面下側には、前側斜め下方を向く傾斜面部１４２が設けられている。
【００９４】
次に、遊技盤取付枠３を詳細に示す。
図１２において、遊技盤取付枠３は、外形が矩形状をなす樹脂ベース１５１を主体に構成されており、当該樹脂ベース１５１の中央部には略四角形状の部品挿入孔１５２が形成されている。
【００９５】
部品挿入孔１５２には、図６に示した遊技盤セット４の主制御基板４０１、演出制御基板４０２、遊技情報出力端子板４０３、基板ケース４１１、４１３及び背面カバー４１２が挿入される。
【００９６】
図１２において、当該樹脂ベース１５１の部品挿入孔１５２の前側には、遊技盤セット４の遊技板４０が内側に挿入される枠状部１５３が形成されている。
【００９７】
枠状部１５３は、上壁１５４、下壁１５５、左側壁１５６、右側壁１５７からなる内側四面によって略長方形状の囲繞空間が形成され、この囲繞空間に図２に示す遊技盤セット４（図１３参照）が固定される。遊技盤セット４を固定する手段として、枠状部１５３の左側壁１５６の枠形状内側面の上下部には、遊技盤止め具１５８ａ、１５８ｂが設けられており、上壁１５４および下壁１５５のそれぞれ右側壁１５７寄りには遊技盤固定具１５９、１６０が設けられている。
【００９８】
遊技盤取付枠３に遊技盤セット４を固定する場合、図１７に示すように、遊技盤セット４の遊技板４０の左辺が遊技盤止め具１５８ａ、１５８ｂに嵌入され、遊技盤セット４の遊技板４０の右上コーナー及び右下コーナーが遊技盤固定具１５９、１６０により押さえつけられる。
【００９９】
遊技盤取付枠３に固定された遊技盤セット４は、遊技盤固定具１５９、１６０を操作することで遊技盤取付枠３からの取り外しが可能になる。
【０１００】
図１２に示すように、遊技盤取付枠３の右面には、施錠装置１６１が設けられている。施錠装置１６１は、前方に設けられた内枠鉤部１６２と、後方に設けられた内枠鉤部１６３、１６４とを備え、前方に設けられた連動用突起部１６５、１６６の動作に連動して内枠鉤部１６２、１６３、１６４が上下にスライドするようになっている。連動用突起部１６５、１６６は、前扉セット５のシリンダ錠１３のロータと連動するスライド部１４（図１５参照）により作動される。
【０１０１】
作業者がシリンダ錠１３（図４参照）の鍵穴に鍵を挿入して時計回りに操作した場合、前扉セット５（図１５参照）のスライド部１４（図１５参照）が中間部から下側にスライドし、図１２に示す施錠装置１６１の連動用突起部１６５が下側にスライドして内枠鉤部１６３、１６４が下側に押し下げられて、内枠鉤部１６３、１６４による当該鉤受部１３３、１３４（図１１参照）の係止が解除して固定枠２に対して遊技盤取付枠３が図１８に示すように開放可能になる。
【０１０２】
作業者がシリンダ錠１３（図４参照）の鍵穴に鍵を挿入して反時計回りに操作した場合、前扉セット５のスライド部１４（図１５参照）が中間部から上側にスライドし、図１２に示す施錠装置１６１の連動用突起部１６６が上側にスライドして内枠鉤部１６２が上側に押し上げられて、内枠鉤部１６２による鉤受部１５（図１５参照）の係止が解除して遊技盤取付枠３に対して前扉セット５が図１９に示すように開放可能になる。
【０１０３】
また、遊技盤取付枠３の右下側の内側面には、前扉セット５の前扉体８から延出するハーネス２４３を保持するフック１６７が設けられている。遊技盤取付枠３の右下側には、ハーネス２４３を遊技盤取付枠３の裏側へ挿通させる貫通部１６８が設けられている。
【０１０４】
遊技盤取付枠３の左側辺部の上下端部には、図２に示した開閉連結支持機構１１、１２の上軸取付片１６９及び下軸取付兼軸受片１７０がそれぞれ設けられている。上軸取付片１６９及び下軸取付兼軸受片１７０には、それぞれ軸１７１、１７２が設けられている。軸１７１、１７２は、固定枠２（図１１参照）の上軸受片１３１及び下軸受片１３２にて回転可能な状態で軸受けが行われるようになっている。上軸取付片１６９及び下軸取付兼軸受片１７０は、図１９に示すように前扉セット５の前扉体８の上下部を回動可能に支持するようになっている。
【０１０５】
以下、遊技盤セット４の遊技盤６について詳細に説明する。
図１３において、遊技盤６は、合板の前面に樹脂シートを貼り付けた構造の遊技板４０にセンター役物４４等の各種所物や遊技釘４２７を配置したものである。
【０１０６】
遊技盤６の前面には、遊技領域４１が形成されている。
センター役物４４は、前記遊技領域４１の中央に設けられ、開口部４２２が形成された枠部材４２１を主要構成とする前側ユニット４２０を有し、当該開口部４２２の背面側に画像出力装置４５が配置されている。画像出力装置４５の開口部４２２から露出する部分は、画面４２３となっている。
【０１０７】
センター役物４４の枠部材４２１の上側中央の若干左寄りには、曲面部４２４（図３参照）が設けられており、遊技領域４１は、この曲面部４２４から左右に分岐して左打ち用の遊技領域４２５と勢いが付きすぎた遊技球を減速させて回収口５１に導く線路４２６に分けられている。
【０１０８】
左打ち用の遊技領域４２５には、多数本の遊技釘４２７とともに、入賞ゲート４９、普通入賞口５０ａ、５０ｂ、５０ｃ、５０ｄ、風車４２８、第１始動口４６、第２始動口４８、大入賞口ユニット５８等が配置されている。大入賞口ユニット５８は、遊技板４０を貫通する取付孔に取り付け固定される。
【０１０９】
一方、枠部材４２１の左側壁４３１には、左打ち用の遊技領域４２５を落下する遊技球が付近の遊技釘４２７の誘導により比較的低い確率で突入するワープ経路４３２が設けられている。
【０１１０】
枠部材４２１の下壁４３３の正面側の上面には、ワープ経路４３２を通過した遊技球が転がるステージ面４３４が形成されている。ステージ面４３４の中央には遊技球を第１始動口４６に誘導する誘導孔４３５の入り口４３６が設けられている。誘導孔４３５の出口４３７は、第１始動口４６の上方に位置する。ステージ面４３４の手前には、ステージ面４３４から転落した遊技球が転がるステージ面４３８が形成されている。ステージ面４３８の中央には、遊技球を第１始動口４６に誘導する誘導溝４３９が形成されている。
【０１１１】
枠部材４２１の左側壁４３１、下壁４３３、右側壁４４０、上壁４４１により囲まれる領域は、上述の開口部４２２となっている。
【０１１２】
遊技球は、通常の遊技状態で、曲面部４２４よりも左下側に落下して左打ち用の遊技領域４２５に導かれ、遊技釘４２７や風車４２８に衝突しながら、あるものは、ワープ経路４３２、ステージ面４３４及び誘導孔４３５を通過し第１始動口４６に落下し、また、あるものは、ステージ面４３８及び誘導溝４３９を通過し第１始動口４６に落下し、また、あるものは、ワープ経路４３２を介さず直接下方に落下し、普通入賞口５０ａ、５０ｂ、５０ｃ、５０ｄまたは第１始動口４６に入賞し、また、あるものは、アウト球として回収口５１に集合し、アウト球通路孔を通って遊技盤セット４の裏面（背面）側に排出される。
【０１１３】
遊技板４０の上側の延出部１００の前面には、刀をデザインした立体形状の演出役物１０１が延出部１００の後ろ側からのネジ止めにより取り付けられている。
【０１１４】
演出役物１０１の中央には、刀の刃をデザインした発光部４５１が設けられている。発光部４５１の内部には、複数の発光ダイオード４５２が設けられている。複数の発光ダイオード４５２は、ハーネス４５３を介して背面カバー４１２内に設けられたランプ制御基板４０４（図１０参照）に接続されており、遊技機１の演出内容に応じて各種発光パターンで発光するようになっている。
【０１１５】
遊技盤６のレール４２の右側には、合成樹脂により左右の幅を広げた幅広部８８形成され、この幅広部８８の右面には、内側透明扉７の係止部８５が係止する溝部８９が形成されている。
【０１１６】
以下、前扉体８と受皿ユニット９について詳細に説明する。
図１４において、前扉体８の遊技盤視認用透明窓６１の下側には、不透明部６８が設けられている。不透明部６８の表面の左側には、球払出口６４が設けられる。
【０１１７】
図１５において、不透明部６８の裏面側には、球払出口６４に繋がる遊技球ガイド２４１が設けられている。遊技球ガイド２４１は、レール４２、４３（図１３参照）から逆流して落下する遊技球及び払出装置３５（図５参照）から払い出された遊技球を球払出口６４に導く。不透明部６８の背面における球払出口６４より右側には、開口部２４２（図１５参照）が設けられ、この開口部２４２（図１５参照）から受皿ユニット９の操作ハンドル６５の発射ボリューム６５ａ（図１０参照）及びタッチセンサ６５ｂ（図１０参照）等の電子部品と接続するハーネス２４３が延出している。
【０１１８】
不透明部６８の略中央には、受皿ユニット９の背面に設けられた遊技球ガイド部材２１０（図１５参照）が挿入される貫通孔２４４が形成されている。
不透明部６８の左側、中央より左寄り、右側には、遊技盤取付枠３に設けられた左側、中間及び右側のスピーカ３２Ｌ、３２Ｍ、３２Ｒ（図１２参照）を取り付ける取り付け部２４５Ｌ、２４５Ｍ、２４５Ｒが形成されている。
【０１１９】
左側、中間及び右側の貫通孔取り付け部２４５Ｌ、２４５Ｍ、２４５Ｒの奥面に形成された開口２４６Ｌ、２４６Ｍ、２４６Ｒは、左側、中間及び右側の音伝達管路２４７Ｌ、２４７Ｍ、２４７Ｒ（図１０参照）を介して左側、中間及び右側の放音部２０４Ｌ、２０４Ｍ、２０４Ｒに繋がっている。スピーカ３２Ｌ、３２Ｍ、３２Ｒ（図１３参照）からの音声は、左右の貫通孔２４５Ｌ、２４５Ｒ及び左右の音伝達管路２４７Ｌ、２４７Ｍ、２４７Ｒを通って左側、中間及び右側の放音部２０４Ｌ、２０４Ｍ、２０４Ｒから外部に放音される。
【０１２０】
不透明部６８の左右両脇には、ネジ２４８、２４８のネジ部が挿通するネジ挿通孔が設けられている。受皿ユニット９の裏側には、ネジ２４８のネジ部が螺入するネジ螺入孔が設けられている。ネジ２４８、２４８は、ネジ部が不透明部６８のネジ挿通孔に挿通し、受皿ユニット９の裏側のネジ孔に螺入して締め付けられることで、不透明部６８の前面に受皿ユニット９をネジ止固定する。
【０１２１】
受皿ユニット９の背面に設けられた遊技球ガイド部材２１０（図１５参照）は、受皿ユニット９の遊技球供給口８０からの遊技球を遊技盤取付枠３の発射部３１に導く。
以下、前扉体８の裏側について更に詳細に説明する。
【０１２２】
図１５において、前扉体８の透明収納部６２は、平面形状の中間部２１１、傾斜面部２１２、２１３及び上側の水平面部２１４、左右の側壁部２１５、２１６により形成され、中間部２１１、傾斜面部２１２、２１３、上側の水平面部２１４及び左右の側壁部２１５、２１６により背面側に形成される凹部２１７に遊技盤セット４（図１３参照）側の立体形状の演出役物１０１を収納するようになっている。
【０１２３】
側壁部２１５、２１６は、遊技盤視認用透明窓６１の左右に配置する側壁部２２１、２２２に繋がっている。
【０１２４】
遊技盤視認用透明窓６１は上辺が直線状に形成され、左右両辺が側方に向けて膨出するように湾曲する。側壁部２２１、２２２と遊技盤視認用透明窓６１の間は、図１４に示すように前方から見て凹形状の曲面部２２３、２２４になっている。
【０１２５】
図１５において、前扉体８の左側辺部の上下端部には、図２に示した開閉連結支持機構１１、１２の上軸取付片２６１及び下軸取付片２６２がそれぞれ設けられている。上軸取付片２６１及び下軸取付片２６２には、それぞれ軸２６３、２６４が設けられており、軸２６３、２６４は、固定枠２（図１１参照）の上軸受片１３１（図１１参照）及び遊技盤取付枠３（図１２参照）の下軸取付兼軸受片１７０（図１２参照）にて回転可能な状態で軸受けが行われるようになっている。上側の軸２６３は、上軸取付片２６１の本体に対して上下にスライド可能であるとともに、図示しないコイルばねにより上方に付勢されている。上側の軸２６３を上軸受片１３１（図１２参照）の下側の軸受穴に取り付ける際には、上側の軸２６３を一旦下方にスライドさせる。
【０１２６】
図１８において、開閉連結支持機構１１、１２（図２参照）による固定枠２に対する遊技盤取付枠３の開閉軸線Ｌ１は、上述したように遊技機１の正面からみて左側において上下に沿って設定されており、この開閉軸線を軸心として固定枠２に対して遊技盤取付枠３が前方側に開放できるようになっている。
【０１２７】
図１９において、遊技盤取付枠３の前面側には、前扉セット５が開閉可能に取付けられている。前扉セット５は、遊技盤取付枠３と同様に、開閉連結支持機構１１、１２（図２参照）により、遊技機１の正面から見て左側において上下に沿って設定された開閉軸線Ｌ１を軸心として前方側に開放できるようになっている。前扉セット５の前扉体８から延出するハーネス２４３は、フック１６７により保持され貫通部１６８に挿通する。貫通部１６８を介して遊技盤取付枠３の裏側へ挿通したハーネス２４３は、遊技盤取付枠３側の発射制御基板３６（図６参照）、払出制御基板３７（図６参照）及び電源基板３８（図６参照）等に電気的に接続するとともに、中継基板及びハーネスを介して遊技盤セット４側の主制御基板４０１（図６参照）、演出制御基板４０２（図６参照）等に電気的に接続する。
【０１２８】
遊技盤取付枠３に対して前扉セット５を開いた状態では、遊技盤６のレール４２の右側に形成された溝部８９から係止部８５の係止を解除することで、内側透明扉７が蝶番８３、８４を介して内側透明扉７が回動可能になり、前記遊技盤６に対して開閉可能になる。内側透明扉７が前記遊技盤６に対して開いた状態では、遊技領域４１に滞留した遊技球や遊技領域４１内の汚れを手作業により排除可能になる。
【０１２９】
図１９の状態の遊技盤取付枠３に対して前扉セット５を閉じた場合、透明収納部６２に遊技盤セット４側の立体形状の演出役物１０１が前扉セット５の裏側から収納され、施錠装置１６１の内枠鉤部１６２が前扉セット５の鉤受部１５を係止して、遊技盤取付枠３に対して前扉セット５が閉じた状態で施錠される。遊技盤取付枠３に対して前扉セット５が閉じた状態では、前記内側透明扉７の内側透明板８１により遊技盤セット４のレール４２、４３間を上昇する遊技球及び遊技盤セット４の遊技領域４１内を落下する遊技球５００（図７参照）が前方に移動して脱落するのを阻止している。
このような構成及び動作を纏めて説明すると、固定枠２は、枠状に形成されている。
演出役物１０１は、立体形状で形成されている。
【０１３０】
遊技盤６は、板状に形成された板状部４０を有し、当該板状部４０の一方の板面側に遊技球が移動する遊技領域４１を有するとともに、当該遊技領域４１の外側に前記演出役物１０１が取付けられている。
【０１３１】
遊技盤取付枠３は、枠状に形成され、前記固定枠２に対して開閉可能に支持され、枠形状の内側に遊技盤６が着脱可能になっている。
【０１３２】
前扉体８は、前記遊技盤取付枠３の前面側に開閉可能な状態で支持され、前記遊技盤取付枠３に取り付けられた前記遊技盤６を視認可能にする遊技盤視認用透明窓６１が設けられるとともに、前記遊技盤視認用透明窓６１の外周より外側に透明性を有した透明収納部６２が形成され、当該透明収納部６２に前記演出役物１０１を挿脱可能な状態で収納する。
【０１３３】
受け皿ユニット９は、前記前扉体８の前記遊技盤視認用透明窓６１より下側に設けられ、上側が開放した凹形状の遊技球供給皿７１が上部に形成されるとともに、当該遊技球供給皿７１の前方及び側方に略平面形状のパネル部として下側傾斜面部７８Ｌ、７８Ｆ、７８Ｒが形成されている。
【０１３４】
下側電飾部２０５は、前記受け皿ユニット９の下部に設けられ、演出用の照明を行う。
【０１３５】
スピーカ３２Ｌ、３２Ｍ、３２Ｒは、前記受け皿ユニット９の内側に設けられ、音声を放音する。
【０１３６】
音伝達管路２４７Ｌ、２４７Ｍ、２４７Ｒは、管状に形成され、前記受け皿ユニット９の内側に設けられ、前記スピーカ３２Ｌ、３２Ｍ、３２Ｒが放出する音声を後側の開口である入力側開口部５１１Ｌ、５１１Ｍ、５１１Ｒから導入管路内に伝達させて前側の開口である出力側開口部５１２Ｌ、５１２Ｍ、５１２Ｒに導く。
【０１３７】
放音部２０４Ｌ、２０４Ｍ、２０４Ｒは、前記受け皿ユニット９の前記下側傾斜面部７８Ｌ、７８Ｆ、７８Ｒと前記下側電飾部２０５の間に挟まれた状態で当該受け皿ユニット９の略全幅に亘って設けられ、裏側に前記音伝達管路２４７Ｌ、２４７Ｍ、２４７Ｒの出力側開口部５１２Ｌ、５１２Ｍ、５１２Ｒが配置し、前記音伝達管路２４７Ｌ、２４７Ｍ、２４７Ｒの出力側開口部５１２Ｌ、５１２Ｍ、５１２Ｒからの音声を前記受け皿ユニット９の外側に向けて放音する。
【０１３８】
遊技球排出管路２５１は、前記遊技球供給皿７１の底面に遊技球の入口となる上側の開口として第１及び第２の球皿側球排出口２０２、２０９が設けられ、前記受け皿ユニット９の下側に遊技球を排出する下側球排出口２０３が設けられ、管路の中間部である中間管路２５４が前記スピーカ３２Ｌ、３２Ｍ、３２Ｒの位置を回避する経路に設けられている。
【０１３９】
前記スピーカ３２Ｌ、３２Ｍ、３２Ｒは、所定の周波数より高い左右の音声をそれぞれ放音する左右のスピーカ３２Ｌ、３２Ｒと前記所定の周波数以下の音声を放音可能な中間のスピーカ３２Ｍ、とを備えている。
【０１４０】
前記音伝達管路２４７Ｌ、２４７Ｍ、２４７Ｒは、左右及び中間のスピーカ３２Ｌ、３２Ｍ、３２Ｒからの音声をそれぞれ伝達する左右及び中間の音伝達管路２４７Ｌ、２４７Ｍ、２４７Ｒを備えている。
【０１４１】
前記放音部２０４Ｌ、２０４Ｒは、幅方向の左右両脇に設けられ左右の音伝達管路２４７Ｌ、２４７Ｒからの所定の周波数より高い音声を放音する左右の高音放音になっている。
【０１４２】
前記放音部２０４Ｍは、当該左右の高音放音部の間の中間部に設けられ中間の音伝達管路２４７Ｍからの前記所定の周波数以下の音声を放音可能な中間放音部になっている。
【０１４３】
前記中間放音部２０４Ｍ及び前記左右の高音放音部２０４Ｌ、２０４Ｒは、上下方向が略同サイズの横長形状に形成されている。
【０１４４】
遊技球排出管路２５１の前記中間管路２５４は、前記左右及び中間のスピーカ３２Ｌ、３２Ｍ、３２Ｒの内、隣り合う二つのスピーカ３２Ｌ、３２Ｍの間の位置に配置している。
また、遊技球排出管路２５１の前記中間管路２５４は、前記中間のスピーカ３２Ｌの側方に配置している。
【０１４５】
前記遊技盤視認用透明窓６１及び前記透明収納部６２は、透明の素材により一体成形されている。
【０１４６】
以上説明した本発明の第１の実施形態によれば、前扉体８には、透明性を有した透明収納部６２が前記遊技盤視認用透明窓６１の外周より外側に形成され、当該透明収納部６２には立体形状の演出役物１０１を装飾部として挿脱可能な状態で収納するので、遊技盤６の交換の際に遊技盤視認用透明部である前記遊技盤視認用透明窓６１の周囲を装飾する装飾部を遊技盤６の機種に個別に対応して新しくすることが可能な構造を採用するとともに、装飾部の立体感を高め、装飾部に回転部や発光部等の演出装置を組み込むのを容易にして、遊技者に新台入替の目新しさを強く感じさせることができ、遊技者と遊技施設の関係者の双方に好印象を与えることができる。また、音声を放音する放音部２０４Ｌ、２０４Ｍ、２０４Ｒは、前記受け皿ユニット９の前記下側傾斜面部７８Ｌ、７８Ｆ、７８Ｒと前記下側電飾部２０５の間に挟まれた状態で当該受け皿ユニット９の略全幅に亘って設けられ、前記球皿側球排出管路２０５は、管路の中間部が前記放音部２０４Ｌ、２０４Ｍ、２０４Ｒに音声を導くスピーカ３２Ｌ、３２Ｍ、３２Ｒの位置を回避する経路に設けられているので、遊技球供給皿の周囲のスペースを十分有効活用することができる。
【０１４７】
以上説明した本発明の第１の実施形態によれば、前扉体８には、透明性を有する透明収納部６２が前記遊技盤視認用透明窓６１の上側に形成され、当該透明収納部６２には遊技盤６の延出部１００に固定された立体形状の演出役物１０１が挿脱可能な状態で収納されるので、遊技盤セット４の交換の際に、演出役物１０１を取り付けた遊技盤セット４を作業者が交換するだけで、遊技盤視認用透明部である前記遊技盤視認用透明窓６１の周囲を装飾する装飾部を遊技盤セット４の機種に個別に対応して新しくするとともに、装飾部の前記演出役物１０１の立体感を高め、前記演出役物１０１に可動部や発光部等の演出装置を組み込むのを容易にして、遊技者に新台入替の目新しさを強く感じさせることができ、遊技者と遊技施設の関係者の双方に好印象を与えることができる。
【０１４８】
尚、図１乃至図１９に示した前記演出役物１０１には、電動で駆動する可動部を演出装置として組み込んでもよい。
以下、本発明に第２の実施形態について図面を参照しながら具体的に説明する。
【０１４９】
（２）第２の実施形態
図２０及び図２１は本発明に係る第２の実施形態を示している。
図２０は、本発明に係る第２の実施形態の左右及び中間の音伝達管路２４７Ｌ、７４７Ｍ、２４７Ｒと遊技球排出管路７５１の位置関係を示す斜視図である。図２１は、本発明に係る第２の実施形態の左右及び中間の音伝達管路２４７Ｌ、７４７Ｍ、２４７Ｒと遊技球排出管路７５１の位置関係を示す断面図である。図２０及び図２１に図示しない構成要素は、第１の実施形態の説明に用いた図面を代用して説明する。
【０１５０】
図２０において、遊技球排出管路７５１は、上側の左右の管路７５２、７５３と、中間管路７５４と、下側管路７５５とから構成されている。
【０１５１】
左の管路７５２は、左側端部に第２の球皿側球排出口２０９が設けられ、左側端部から右側に向かって下側に傾斜し、中間管路７５４の上端に繋がっている。
【０１５２】
右の管路７５３は、右側端部に第１の球皿側球排出口２０２が設けられ、左側端部から左側に向かって下側に傾斜し、中間管路７５４の上端に繋がっている。
【０１５３】
中間管路７５４は、下方に行くに従い前方に向かって湾曲し図２０及び図２１に示す中間の音伝達管路７４７Ｍの上面に形成された貫通孔７６１、音伝達管路７４７Ｍの管内、音伝達管路７４７Ｍの下面に形成された貫通孔７６２を挿通して中間の音伝達管路７４７Ｍの下側に延出している。
【０１５４】
中間管路７５４の下端は、下側管路７５５の上端に繋がる。下側管路７５５は、電飾装置２０７の後側において、下方に行くに従い後方に向けて蛇行して中間の音伝達管路７４７Ｍの下側を通り下側球排出口２０３に繋がる。
【０１５５】
第１の球皿側球排出口２０２に流れた遊技球は、右の管路７５３、中間管路７５４、下側管路７５５を介して下側球排出口２０３から排出される。第２の球皿側球排出口２０９に流れた遊技球は、左の管路７５２、中間管路７５４、下側管路７５５を介して下側球排出口２０３から排出される。
【０１５６】
このような構造により、前記遊技球排出管路７５１の前記中間部である中間管路７５４は、前記放音部２０４Ｍと前記スピーカ３２Ｍの間の位置に配置している。  
このような第２の実施形態によれば、第１の実施形態と同様の効果が得られる。
（２）第３の実施形態
図２２及び図２３は本発明に係る第３の実施形態を示している。
【０１５７】
図２２は、本発明に係る第３の実施形態の左右及び中間の音伝達管路２４７Ｌ、８４７Ｍ、２４７Ｒと遊技球排出管路８５１の位置関係を示す斜視図である。図２１は、本発明に係る第３の実施形態の左右及び中間の音伝達管路２４７Ｌ、８４７Ｍ、２４７Ｒと遊技球排出管路８５１の位置関係を示す断面図である。図２２及び図２３に図示しない構成要素は、第１の実施形態の説明に用いた図面を代用して説明する。
【０１５８】
図２２において、中間の音伝達管路８４７Ｍは、音伝達管路８４７Ｌ、８４７Ｒより後端の入力側開口部８１１Ｍが前側に形成されている。中間のスピーカ８３２Ｍは、左右のスピーカ３２Ｌ、３２Ｒより前方に配置している。
【０１５９】
遊技球排出管路８５１は、上側の左右の管路８５２、８５３と、中間管路８５４と、下側管路８５５とから構成されている。
【０１６０】
左の管路８５２は、左側端部に第２の球皿側球排出口２０９が設けられ、左側端部から右側に向かって下側に傾斜し、中間管路８５４の上端に繋がっている。
【０１６１】
右の管路８５３は、右側端部に第１の球皿側球排出口２０２が設けられ、左側端部から左側に向かって下側に傾斜し、中間管路８５４の上端に繋がっている。
【０１６２】
ここで、第３に実施形態では、前扉体８の遊技盤視認用透明窓６１の下側には、不透明部８０１が設けられている。不透明部８０１には、中間のスピーカ８３２Ｍを取り付ける取り付け部８４５Ｍが形成され、取り付け部８４５Ｍの上面には、形成された上側貫通孔７６１が形成され、取り付け部８４５Ｍの下面には、形成された下側貫通孔７６２が形成されている。
【０１６３】
中間管路８５４は、下方に行くに従い後方に向かって湾曲し図２３に示す取り付け部８４５Ｍに形成された上側貫通孔８６１、取り付け部８４５Ｍの内部における中間のスピーカ８３２Ｍより後側、取り付け部８４５Ｍの下側貫通孔８６２を挿通して中間のスピーカ８３２Ｍより下側に延出している。
【０１６４】
中間管路８５４の下端は、下側管路８５５の上端に繋がる。下側管路８５５は、電飾装置２０７の後側において、下方に行くに従い前方方に向けて蛇行して中間の音伝達管路８４７Ｍの下側を通り下側球排出口２０３に繋がる。
【０１６５】
第１の球皿側球排出口２０２に流れた遊技球は、右の管路８５３、中間管路８５４、下側管路８５５を介して下側球排出口２０３から排出される。第２の球皿側球排出口２０９に流れた遊技球は、左の管路８５２、中間管路８５４、下側管路８５５を介して下側球排出口２０３から排出される。
【０１６６】
このような構造により、前記遊技球排出管路８５１の前記中間部である中間管路８５４は、前記スピーカ８３２Ｍの後方に配置しているに配置している。  
このような第３の実施形態によれば、第１の実施形態と同様の効果が得られる。
【符号の説明】
【０１６７】
１……遊技機、２……固定枠（外枠）、３……遊技盤取付枠（内枠）、
４……遊技盤セット、５……前扉セット、６……遊技盤、
７……内側透明扉、８……前扉体、９……受皿ユニット、
１１、１２……開閉連結支持機構、１３……シリンダ錠、
２１……固定枠本体、３１……発射部、３２Ｌ、３２Ｍ、３２Ｒ……スピーカ、
３３……貯留タンク、３４……上部賞球ケース、３５……払出装置、
３６……発射制御基板、３７……払出制御基板、３８……電源基板、
４０……遊技板、４１……遊技領域、４２、４３……レール、
４４……センター役物、４５……画像出力装置、４６……第１始動口、
４７Ｌ、４７Ｒ……可動片、４８……第２始動口、
４９……入賞ゲート、５０ａ、５０ｂ、５０ｃ、５０ｄ……普通入賞口、
５８……大入賞口ユニット、５９……開閉扉、６０……大入賞口、
６１……遊技盤視認用透明窓、６２……透明収納部、
６４……球払出口、６５……操作ハンドル、６６……発射指示部材、
７１……遊技球供給皿、７２Ｌ、７２Ｆ、７２Ｒ……上側傾斜面部、
７３……チャンスボタン、７４……表示部、７５……球貸しボタン、
７６……返却ボタン、２０……遊技球貸出装置（ＣＲ機）、
７７Ｆ、７７Ｌ、７７Ｒ……段部、
７８Ｌ、７８Ｆ、７８Ｒ……下側傾斜面部、７９……整列路、
８０……遊技球供給口、  ８１……内側透明板、８２……枠部材、
８３、８４……蝶番、８８……幅広部、８９……溝部、８５……係止部、
９１、９２……演出用役物装置、１００…延出部、１０１…演出役物、
２０１……第１の球抜きボタン、２０２……第１の球皿側球排出口、
２０３……下側球排出口、スピーカ、２０８……第２の球抜きボタン、
２０９……第２の球皿側球排出口、
２０４Ｌ、２０４Ｍ、２０４Ｒ……放音部、２０５……下側電飾部、
２０６……透明部、２０７……電飾装置、
２４７Ｌ、２４７Ｍ、２４７Ｒ……音伝達管路、
２５２……遊技球排出管路、７５２、７５３……左右の管路、
２５４……中間管路、２５５……下側管路、
５１２Ｌ、５１２Ｍ、５１２Ｒ……出力側、
５１１Ｌ、５１１Ｍ、５１１Ｒ……入力側、５１３……メッシュ、
５１４、５１５……仕切り、
７５１、８５１……遊技球排出管路、７５２、７５３……左右の管路、
７５４、８５４……中間管路、７５５、８５５……下側管路、
７４７Ｍ、８４７Ｍ……音伝達管路、
８３２Ｍ……スピーカ、８５２、８５３……左右の管路
【図１】
0005560022.tif 000002
【図２】
0005560022.tif 000003
【図３】
0005560022.tif 000004
【図４】
0005560022.tif 000005
【図５】
0005560022.tif 000006
【図６】
0005560022.tif 000007
【図７】
0005560022.tif 000008
【図８】
0005560022.tif 000009
【図９】
0005560022.tif 000010
【図１０】
0005560022.tif 000011
【図１１】
0005560022.tif 000012
【図１２】
0005560022.tif 000013
【図１３】
0005560022.tif 000014
【図１４】
0005560022.tif 000015
【図１５】
0005560022.tif 000016
【図１６】
0005560022.tif 000017
【図１７】
0005560022.tif 000018
【図１８】
0005560022.tif 000019
【図１９】
0005560022.tif 000020
【図２０】
0005560022.tif 000021
【図２１】
0005560022.tif 000022
【図２２】
0005560022.tif 000023
【図２３】
0005560022.tif 000024